【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
関心被検体の少なくとも一部の磁気共鳴画像を収集するように構成された磁気共鳴撮像システムであって、
スキャナユニットであり、
中心軸に沿って配置された磁石ボアを備えた主磁石であり、少なくとも前記磁石ボア内に静磁場Ｂ０を生成するように構成された主磁石、
前記磁石ボア内に提供される検査空間であり、前記磁気共鳴画像の収集中に当該検査空間内に前記関心被検体の少なくとも前記一部が位置付けられる、検査空間、
前記磁石ボア内に配置されたボアカバーであり、前記中心軸に関する半径方向に垂直に前記検査空間の範囲を定めるボアカバー、及び
前記検査空間内に前記関心被検体の少なくとも前記一部を位置付けるために前記関心被検体を前記検査空間に入れるために設けられた前記中心軸の周りの開口、を持つ正面カバー、
を含むスキャナユニットと、
複数の照明要素を有するボア領域照明ユニットであり、当該ボア領域照明ユニットは、ボア領域に照明状況を生成するように構成され、
前記正面カバーに配置された当該ボア領域照明ユニットの照明要素が、少なくとも１つの動作状態において、前記正面カバーにおける照明状況を生成するように構成され、及び
前記正面カバーの直前で前記中心軸に対して垂直に配置される仮想平面の、方位角方向に配置された複数の環状領域における位置で、面積平均された輝度関連光度パラメータが、少なくとも前記中心軸の周りの方位角の或る連続した範囲に関して、前記中心軸に向かって半径方向に低下し、又は
当該ボア領域照明ユニットは、少なくとも１つの動作状態において前記ボアカバーにおける照明状況を生成するように構成された、前記ボアカバーに配置された少なくとも１つの照明要素を有するボアカバー照明ユニットを含み、該ボアカバー照明ユニットによって前記ボアカバーが少なくとも部分的に照らされる場合に、前記仮想平面の前記方位角方向に配置された複数の環状領域における位置で、前記面積平均された輝度関連光度パラメータが、少なくとも前記中心軸の周りの方位角の前記連続した範囲に関して、前記中心軸に向かって半径方向に上昇し、各環状領域が複数の照明要素に及んでいる、
ボア領域照明ユニットと、
を有し、
前記正面カバーの外表面にある前記照明要素の形状が、円形ドット、半径方向に配列されたストライプ、及び方位角方向に配列されたストライプからなる群から選択されている、
磁気共鳴撮像システム。
【請求項２】
前記照明要素のうちの少なくとも一部が、前記正面カバーの外表面に規則的なパターンで配置されている、請求項１に記載の磁気共鳴撮像システム。
【請求項３】
前記正面カバーは少なくとも部分的に、半透明の材料から製造されており、前記半透明の材料が、少なくとも１つの動作状態において、背後から前記ボアカバー照明ユニットによって照らされる、請求項１又は２に記載の磁気共鳴撮像システム。
【請求項４】
前記照明要素は、前記中心軸の周りの完全な円の少なくとも１つの連続した角度セグメントの中に規則的なパターンで配置されている、請求項１乃至３の何れか一項に記載の磁気共鳴撮像システム。
【請求項５】
前記正面カバー照明ユニットの各照明要素の前記光度パラメータが、前記中心軸までの該照明要素の半径方向距離に応じて上昇又は低下する、請求項１乃至４の何れか一項に記載の磁気共鳴撮像システム。
【請求項６】
前記中心軸に向かって半径方向に関して取られた、面積平均された輝度関連光度パラメータ関数の一次導関数が、前記正面カバーの直前で前記中心軸に対して垂直に配置される仮想平面上の位置で、前記中心軸の周りの方位角の少なくとも或る連続した範囲に関して、少なくとも、前記ボア領域照明ユニットの最も外側の照明要素の前記中心軸からの距離と前記ボアカバーの半径寸法とによって与えられる半径方向のインターバル内で、連続である、請求項１乃至５の何れか一項に記載の磁気共鳴撮像システム。
【請求項７】
前記ボア領域照明ユニットは、少なくとも１つの動作状態において、前記照明要素のうちの少なくとも１つを、該照明要素の、照明されるオン状態と消光されるオフ状態との間で、動的に切り換えるように構成される、請求項１乃至６の何れか一項に記載の磁気共鳴撮像システム。
【請求項８】
前記ボア領域照明ユニットは、少なくとも１つの動作状態において、少なくとも、前記照明要素のうちの少なくとも１つの色の変化を起動するように構成される、請求項１乃至７の何れか一項に記載の磁気共鳴撮像システム。
【請求項９】
磁気共鳴撮像システムでの使用のためのボア領域照明ユニットであって、前記磁気共鳴撮像システムは、関心被検体の少なくとも一部の磁気共鳴画像を収集するように構成され、且つ、中心軸に沿って配置された磁石ボアを備えた主磁石を持つスキャナユニットを有し、前記主磁石は、少なくとも前記磁石ボア内に静磁場Ｂ０を生成するように構成され、更に、前記磁石ボア内に提供される検査空間であり、当該検査空間内に前記関心被検体の少なくとも前記一部が位置付けられる、検査空間と、前記磁石ボア内に配置されたボアカバーであり、前記中心軸に対して垂直に前記検査空間の範囲を定めるボアカバーとを有し、
更に、前記検査空間内に前記関心被検体の少なくとも前記一部を位置付けるために前記関心被検体を前記検査空間に入れるために設けられた前記中心軸の周りの開口、を持つ正面カバーを有し、
当該ボア領域照明ユニットは、複数の照明要素を有し、且つボア領域に照明状況を生成するように構成され、
前記正面カバーに配置された当該ボア領域照明ユニットの照明要素が、少なくとも１つの動作状態において、前記正面カバーにおける照明状況を生成するように構成され、及び
前記正面カバーの直前で前記中心軸に対して垂直に配置される仮想平面の、方位角方向に配置された複数の環状領域における位置で、面積平均された輝度関連光度パラメータが、少なくとも前記中心軸の周りの方位角の或る連続した範囲に関して、前記中心軸に向かって半径方向に低下し、又は
当該ボア領域照明ユニットは、少なくとも１つの動作状態において前記ボアカバーにおける照明状況を生成するように構成された、前記ボアカバーに配置された少なくとも１つの照明要素を有するボアカバー照明ユニットを含み、該ボアカバー照明ユニットによって前記ボアカバーが少なくとも部分的に照らされる場合に、前記仮想平面の前記方位角方向に配置された複数の環状領域における位置で、前記面積平均された輝度関連光度パラメータが、少なくとも前記中心軸の周りの方位角の前記連続した範囲に関して、前記中心軸に向かって半径方向に上昇し、各環状領域が複数の照明要素に及んでおり、
前記正面カバーの外表面にある前記照明要素の形状が、円形ドット、半径方向に配列されたストライプ、及び方位角方向に配列されたストライプからなる群から選択されている、
ボア領域照明ユニット。
【請求項１０】
前記照明要素のうちの少なくとも一部が、前記正面カバーの外表面に規則的なパターンで配置されている、請求項９に記載のボア領域照明ユニット。
【請求項１１】
関心被検体の少なくとも一部の磁気共鳴画像を収集するように構成された磁気共鳴撮像システムであって、
主磁石のボア内に置かれる検査空間であり、前記主磁石が当該検査空間内にＢ０磁場を生成するように構成される、検査空間、
前記ボアの中及び周りに配置されたボアカバー、
前記関心被検体の少なくとも前記一部を前記検査空間内へと通すように構成された開口を持つ正面カバー、
前記ボア領域を照明するとともに前記開口の周りの前記正面カバーの領域を照らすように構成された照明要素であり、前記正面カバーの外表面にある当該照明要素の形状が、ドット、半径方向に配列されたストライプ、及び方位角方向に配列されたストライプからなる群から選択されている、照明要素、
を有し、且つ
前記正面カバーの直前で前記ボアの中心軸に対して垂直に配置される仮想平面の、方位角方向に配置された複数の環状領域における位置で、面積平均された輝度関連光度パラメータが、少なくとも前記中心軸の周りの方位角の或る連続した範囲に関して、前記中心軸に向かって、半径方向の半径距離とともに低下し、又は
前記仮想平面の、方位角方向に配置された複数の環状領域における前記位置で、前記面積平均された輝度関連光度パラメータが、少なくとも前記中心軸の周りの方位角の前記連続した範囲に関して、前記中心軸に向かって、半径方向の半径距離とともに上昇する、
磁気共鳴撮像システム。